(57)【特許請求の範囲】
【請求項１】
作動油の入ったタンク内に、油圧ポンプとこれを駆動する電動機とがタンクに防振具を介して支持される架台に設置されて作動油中に浸漬されるように収容される油圧ユニットにおいて、油圧ポンプには上向きの吸い込み部を設け、作動油の油面より上に位置させる把手部を有したフィルタには吸い込み部に抜き差し自在に嵌合する接続部を設け、フィルタに当接してフィルタの接続部が油圧ポンプの吸い込み部から抜け出すことを阻止する抜け止め部材を架台の油面より上の部位へ着脱自在に取り付け、タンクの上板には、フィルタと抜け止め部材の上に位置してフィルタを出し入れできる開口を設けるとともに、この開口を覆う着脱自在な蓋を設置したことを特徴とする油圧ユニット。
【発明の詳細な説明】
【０００１】
【発明の属する技術分野】
本発明は、油圧ポンプとこれを駆動する電動機とをタンク内の作動油中に浸漬させるようにした油圧ユニットに関し、特にこのような油圧ユニットにおける油圧ポンプの吸い込み側に設置するフィルタが洗浄、交換等の際に油圧ポンプをタンク外に出すことなくタンク外へ取り出せるようになった油圧ユニットに関する。
【０００２】
【従来の技術】
従来、この種の油圧ユニットとして、本出願人の出願に係る、実開平３−１２４００１号公報に記載のものがある。このものでは、作動油中に浸漬した油圧ポンプの吸い込み部にフィルタの出口側が抜き差し自在に嵌合し、タンクの上板には、フィルタの上方にフィルタを出し入れできる開口が設けてある。そして、この開口を覆うように着脱自在に設置された蓋とフィルタが連結棒で連結されている。
【０００３】
このため、蓋が設置されていると、フィルタは蓋により連結棒を介して押さえられて油圧ポンプの吸い込み部から抜け出すことはない。そして、蓋を取り外し持ち上げると、フィルタは吸い込み部から離脱し開口を通してタンク外に取り出されるので、油圧ポンプがタンク内にあっても、これをタンク外に出すことなくフィルタを簡単にタンク外に取り出すことができる。
【０００４】
【発明が解決しようとする課題】
このものでは、油圧ポンプとこれを駆動する電動機が、タンクの上板に支持台により取り付けられていてタンクの上板と油圧ポンプとが相対的に動くことが実質的にないので蓋を上板に取り付けてフィルタの抜け止めを行っても問題はないが、やはり本出願人の出願に係る特開平４−２４４６０１号公報に記載されるような、油圧ポンプとこれを駆動する電動機とを、タンクに防振具を介して支持される架台に設置するものにこのようなフィルタの抜け止めの構成を適用すると、次のような問題点が生じる。
【０００５】
すなわち、架台は防振具を介してタンクに取り付けられているので、油圧ポンプが駆動されるとタンクと相対的に架台が動き、この結果、架台に設置される油圧ポンプはタンクと相対的に動く。フィルタはタンクの上板に取り付けられる蓋に連結されるのでフィルタと油圧ポンプは相対的に動くことになり、このため、フィルタは、油圧ポンプが動くことによりその吸い込み部から抜け出して油圧ポンプへのフィルタ作用が得られなくなったり、フィルタの連結棒との接続箇所等に大きな力がかかって破損したりする事態が生じるおそれがある。
【０００６】
本発明は、このように架台が防振具を介してタンクに取り付けられてタンクと油圧ポンプとが相対的に動く場合での上記のような問題点を解消しようとするものである。
【０００７】
【課題を解決するための手段】
このため本発明では、作動油の入ったタンク内に、油圧ポンプとこれを駆動する電動機とがタンクに防振具を介して支持される架台に設置されて作動油中に浸漬されるように収容される油圧ユニットにおいて、油圧ポンプには上向きの吸い込み部を設け、油圧ポンプには上向きの吸い込み部を設け、作動油の油面より上に位置させる把手部を有したフィルタには吸い込み部に抜き差し自在に嵌合する接続部を設け、フィルタに当接してフィルタの接続部が油圧ポンプの吸い込み部から抜け出すことを阻止する抜け止め部材を架台の油面より上の部位へ着脱自在に取り付け、タンクの上板には、フィルタと抜け止め部材の上に位置してフィルタを出し入れできる開口を設けるとともに、この開口を覆う着脱自在な蓋を設置するようにした。
【０００８】
このようにしたので、架台がタンクと相対的に動いても、抜け止め部材は架台に取り付けられるから油圧ポンプに対して動かない。このため、抜け止め部材によるフィルタの抜け止めが、フィルタと油圧ポンプの相対的な動きをもたらすことなく行うことができ、フィルタが吸い込み部から抜け出してフィルタ作用が得られなくなったり、フィルタの破損を招くような事態の発生が抑えられる。
【０００９】
【実施例】
以下本発明の実施例を図面により説明する。１は内部に作動油を入れたタンクで、タンク１の上方の開口は、大きい上板１Ａと小さい上板１Ｂにより覆われている。そして、タンク１の対向する側壁板２、３の内側には、各２つの突片４、５を、作動油の油面Ｌより上に位置させて設けている。６は突片４、５に取り付けられた防振具である。防振具６は防振作用を行うゴム部材６Ａの両端に取り付け用のボルト部材６Ｂ、６Ｃを一体的に固定しており、この下方端面から突出したボルト部材６Ｂのねじ込みにより、防振具６は突片４、５の上面に取り付けられている。
【００１０】
７は、電動機８とこれにより駆動される油圧ポンプ９を設置する架台である。なお、油圧ポンプ９は電動機８に一体的に結合され、電動機８を架台７の下片７Ａに取り付けることにより設置すると、油圧ポンプ９も電動機８を介して架台７に設置される。架台７は、下片７Ａと、この下片７Ａの両端に固定されて上へ延びる起立片７Ｂ、７Ｃと、起立片７Ｂ、７Ｃの上端に、側壁板２、３に沿うよう固定された取り付け片７Ｄ、７Ｅを有し、取り付け片７Ｄ、７Ｅをボルト部材６Ｃが挿通して防振具６のゴム部材６Ａに載置されるようになっており、このように載置されたとき、電動機８と油圧ポンプ９はタンク１内の作動油に浸漬される。
【００１１】
また、架台７は、さらに受け片７Ｆ、７Ｇを有し、この受け片７Ｆ、７Ｇは、それぞれ前記取り付け片７Ｄ、７Ｅの上に重ねて置かれ、取り付け片７Ｄ、７Ｅとともに受け片７Ｆ、７Ｇを挿通した防振具６のボルト部材６Ｃへのナット１０の螺着により、受け片７Ｆ、７Ｇはそれぞれ取り付け片７Ｄ、７Ｅに一体的に固定されている。なおまた、このナット１０の螺着により架台７がタンク１に取り付けられるようになっている。ここで、この受け片７Ｆ、７Ｇは、保守作業等により、タンク１の上板１Ａを取り外して油圧ポンプ９や電動機８をタンク１の外に出す必要があるとき、図示しない取り付けねじにより架台７の下片７Ａの下面両端に取り付け片７Ｄ、７Ｅと平行状に取り付けたのち、この下片７Ａに取り付けた受け片７Ｆ、７Ｇを突片４、５の防振具６の上にボルト部材６Ｃを挿通させて載置することで、架台７を電動機８と油圧ポンプ９をタンク外へ出した状態でタンクに支持させるようにするものである。
【００１２】
１１は、油圧ポンプ９の、吸い込み穴１２を上に向けた上向きの吸い込み部であり、１３はこの吸い込み部１１に設置したフィルタである。フィルタ１３はフィルタエレメント１３Ａと、その内側の多数の穴を有した穴開き板１３Ｂを保持する上下の端板１３Ｃ、１３Ｄを有し、下方の端板１３Ｄには、吸い込み部１１の管部１１Ａの外周に抜き差し自在に嵌合する接続穴１４をを備えた接続部１５が形成されている。１６は接続穴１４内周に設置したシールリングである。
【００１３】
フィルタ１３はさらに、上方の端板１３Ｃに取り付けて上へ延びる取り付け棒１７と、取り付け棒１７の上端に取り付けられた把手部１８を有している。把手部１８は、フィルタ１３が吸い込み部１１に設置されるとき、作動油の油面Ｌより上に位置するようになっている。把手部１８には、上端面から窪み１９が設けてある。そして、把手部１８は、コイル状のばね２０を窪み１９の底に取り付けて有している。
【００１４】
２１は、フィルタ１３の抜け止めを図る抜け止め部材で、板部２１Ａとこの板部２１Ａの先端側に前記窪み１９に嵌入する突起部２１Ｂを有し、板部２１Ａの基端側に設けた通し穴２１Ｃと、受け片７Ｇの通し穴２２とを通って取り付け片７Ｅのねじ穴２３にねじ込まれる取り付けねじ２４により、架台７の、図示設置状態における受け片７Ｇ上に着脱自在に取り付けられる。そして、突起部２１Ａの先端がフィルタ１３の把手部１８におけるばね２０に当接してこれを圧縮し、このばね力でフィルタ１３を反抜け出し方向へ押圧するようになっている。
【００１５】
２５は、フィルタ１３が出入りできる開口であり、上板１Ａに取り付けねじ２６により着脱自在に設置された蓋２７で覆われている。そして開口２５は、蓋２７を取ったとき取り付けねじ２４の着脱や、把手部１８の把持ができるよう、抜け止め部材２１やフィルタ１３の上に設けてある。
【００１６】
２８は上板１Ｂに設けたマニホールドで、吐出口３０、戻り口３１、ドレン受け口３２が配管接続できるように形成されている。そして、マニホールド２８には、タンク１内で、吐出口３０へ作動油を送る油圧ポンプ９の耐圧ホースによる吐出管３３、戻り口３１からの戻り油をタンク１へ戻す戻り管３４、ドレン受け口３２からのドレンをタンク１内へ戻すドレン管３５が接続されている。また、３６はエアブリーザ、３７は仕切り板である。
【００１７】
次ぎにこの実施例の作動を説明する。マニホールド２８の各口３０、３１、３２を図示しない油圧回路に接続し、電動機８により油圧ポンプ９を駆動すると、フィルタ１３のフィルタエレメント１３Ａにより濾過されて、油圧回路へは清浄な作動油が供給され、また、戻り管３４より油圧回路からの戻り油がタンク１に還流する。
【００１８】
このとき、電動機８による駆動に伴い、振動が生じ、タンク１に防振具６を介して支持される架台７は設置した電動機８、油圧ポンプ９とともに、防振具６のゴム部材６Ａを圧縮してタンク１に対し図１の前後方向に、あるいは左右、上下方向に動く。防振具６により架台７がタンク１とは相対的に動くことができるので、架台７側の振動はタンク１へ伝わるのが抑えられタンク１から発散する振動が小さくなる。そして、架台７にこのような動きが生じても、フィルタ１３の抜け止めを図る抜け止め部材２１はこの動く架台７に取り付けられているので、架台７に設置される油圧ポンプ９に取り付けられたフィルタ１３に対して動くことはない。このため、抜け止め部材２１の突起部２１Ｂが、架台７が動くことにより把手部１８の窪み１９の内周に当接するようなことは防止され、突起部２１Ｂが窪み１９の内周に当接する結果取り付け棒１７が曲げモーメントを受けて端板１３Ｃが破損するといった事態が防止される。そして、フィルタ１３は突起部２１Ｂによりばね２０を介して押圧され、その接続部１５が油圧ポンプ９の吸い込み部１１に嵌合した設置状態が維持されて、油圧ポンプ９へ吸い込まれる作動油に対する濾過作用は良好に維持される。
【００１９】
そして、洗浄や交換等でフィルタ１３を取り出すときは、電動機８を停止し、取り付けねじ２６を取り外して蓋２７を取り外し、開口２５から取り付けねじ２４を取り外して抜け止め部材２１を取り出す。そして、把手部１８を把持して上方へ引き、フィルタ１３を、その接続部１５を油圧ポンプ９の吸い込み部１１から引き抜いた後、開口２５からタンク１の外へ取り出すのである。
【００２０】
また、再度のフィルタ１３の取り付けは、上記と逆に、把手部１８を把持してフィルタ１３を開口２５からタンク１内へ入れ、接続部１５を油圧ポンプ９の吸い込み部１１へ嵌合させて設置状態においた後、抜け止め部材２１を取り付けねじ２４で取り付けてフィルタ１３の抜け止めを行い、取り付けが完了する。そして蓋２７が再び取り付けねじ２６により設置される。この、フィルタ１３の取り外し、取り付け作業は、把手部１８や、抜け止め部材２１が油面Ｌより上に位置するで、手が濡れる煩わしさを伴うことなく行うことが可能となる。
【００２１】
なお、実施例ではばね２０が把手部１８の窪み１９の底に取り付けられているが、このばねを抜け止め部材２１の突起部２１Ｂにに取り付け、突起部２１Ｂを窪み１９に嵌入すると、該ばねの下端が窪み１９の底面に当接してこれによるばね力でフィルタ１３が抜け出さないように押圧するようにしてもよい。また、抜け止め部材２１に突起部２１Ｂを設けず、板部２１Ａを把手部１８の上面に当接させたり、板部２１Ａを下方に屈曲してフィルタ１３の端板１３Ｃに当接させることもでき、このとき、フィルタ１３側と板部２１Ａ側の当接部分間に、板部２１Ａ側、あるいはフィルタ１３側に取り付けたばねを介在させて、ばね力を抜け出さないようにフィルタ１３へ作用させることもできる。
【００２２】
【発明の効果】
このように本発明の油圧ユニットでは、フィルタの抜け止め部材が架台に取り付けられるので、抜け止め部材によるフィルタの抜け止めが、フィルタと油圧ポンプの相対的な動きをもたらすことなく行うことができ、フィルタが吸い込み部から抜け出してフィルタ作用が得られなくなったり、フィルタの破損を招くような事態の発生が抑えられる。
【００２３】
また、フィルタの把手部や、抜け止め部材の架台での取り付け部位がタンク内の作動油の油面より上であるので、フィルタの取り外し作業が、手を濡らす煩わしさを伴うことなく行うことが可能となる。
【図面の簡単な説明】
【図１】本発明の実施例を示す図２のＡ−Ａ線に沿う断面図。
【図２】本発明の実施例を示す図１のＢ−Ｂ線に沿う断面図。
【図３】本発明の実施例の要部拡大断面図。
【図４】本発明の実施例の上板を外した部分拡大平面図。
【符号の説明】
１  タンク
１Ａ  上板
６  防振具
７  架台
８  電動機
９  油圧ポンプ
１１  吸い込み部
１３  フィルタ
１５  接続部
１８  把手部
２５  開口
２７  蓋
【図１】
0003745871.tif 000002
【図２】
0003745871.tif 000003
【図３】
0003745871.tif 000004
【図４】
0003745871.tif 000005